(57)【要約】【課題】従来の温水加熱式床暖房装置は高温の温水を使用しており、床構造に高温加熱に伴う不具合を発生していたが、本発明は低温加熱にできる構造を提供する。【解決手段】基礎床材の上に敷設された断熱シート２２と、この断熱シート２２上に温水パイプ３３を間隔あけ、蛇行して配置された床暖房装置Ｙにおいて、前記温水パイプ３３の間の空間部に、潜熱蓄熱型の蓄熱剤４を充填した蓄熱部材１を配置し、前記温水パイプ３３からの放熱を前記蓄熱部材１に蓄熱するように構成した温水式床暖房装置Ｙ。【選択図】  図１
2009008288.tif 000002
【特許請求の範囲】
【請求項１】
基礎床材の上に敷設された断熱シートと、この断熱シート上に温水パイプを間隔あけ、蛇行して配置された床暖房装置において、
前記温水パイプの間の空間部に、潜熱蓄熱型の蓄熱剤を充填した蓄熱部材を配置し、前記温水パイプからの放熱を前記蓄熱部材に蓄熱するように構成したことを特徴とする温水式床暖房装置。
【請求項２】
前記蓄熱部材は、耐熱性のある電気絶縁性シートからなる袋体と、その内部に収容されたハニカム型熱伝導体と、充填された潜熱型蓄熱剤で構成されていることを特徴とする請求項１記載の温水式床暖房装置。
【請求項３】
前記ハニカム型熱伝導体は、金属箔製のハニカムであり、前記蓄熱部材の厚さ方向に開口部が向けられていることを特徴とする請求項２記載の温水式床暖房装置。
【請求項４】
基礎床材の上に敷設された断熱シートと、その断熱シート上に所定間隔をおいて蛇行して配置された温水パイプからなる床暖房装置において、
前記温水パイプの間に蓄熱部材を配置すると共に、前記温水パイプと蓄熱部材を覆って金属箔を敷き、更にその上面に床板を敷設したことを特徴とする請求項１、２あるいは３には記載の温水式床暖房装置。
【請求項５】
基礎床材の上に敷設された断熱シートと、その断熱シート上に所定間隔をおいて蛇行して配置された温水パイプからなる床暖房装置において、
前記温水パイプの間に蓄熱部材を配置すると共に、前記蓄熱部材は、耐熱性と電気絶縁性のあるシートからなる袋体と、その袋体の内面を直接支持するようにアルミ箔で構成されたハニカム型熱伝導体を収容し、更に前記袋体に潜熱型蓄熱剤を充填し、この蓄熱剤を前記ハニカム型熱伝導体によって複数の小塊状に分断して前記ハニカム型熱伝導体で形成されている壁面を介して、潜熱型蓄熱剤に対して熱の授受を行うことを特徴とする請求項２記載の温水式床暖房装置。
【発明の詳細な説明】
【技術分野】
【０００１】
本発明は、効率的に蓄熱して床面を均一に暖房できる温水式床房装置の改良に関する。
【背景技術】
【０００２】
最近の新築家屋には床暖房装置を設置する建物が多くなっているが、この床暖房装置の熱源には、温水加熱式と電熱加熱式とがあり、温水式の装置の方が多く使用されている。
【０００３】
温水加熱式床暖房装置はボイラーを灯油やガスを燃焼させて加熱するので、電気を熱源とする電熱加熱式に比較して比較的床暖房コストが低いという理由から使用されてきたが、最近は石油の高騰が続くので、このメリットは怪しくなってきており、更に、下記するように本質的な問題がある。
【０００４】
この温水加熱式床暖房装置の一例を説明すると、図６（Ｂ）に示すようにコンクリート層あるいは床下地板などの基礎床３０の上に発泡ウレタンなどの厚手の断熱シート３１を敷き、この断熱シート３１の上面に温水パイプ用の溝部３２を蛇行して形成し、この溝部３２内に内径が約８ｍｍ〜１１ｍｍ程度の合成樹脂パイプあるいは銅やアルミなどの金属パイプからなる発熱パイプ３３を嵌め込んで配管して温水マットＭを形成し、更にその上に伝熱性を改善するためにアルミ箔などの金属箔３４を積層し、その上に床板（フローリング）３５を配置したものが一般的に使用されている（特許文献１参照）。
【０００５】
また、電熱加熱式の床暖房装置はケーブルヒータを使用したもの（特許文献２参照）や面状発熱体を使用したものが提案されている（特許文献３参照）。
【特許文献１】特開２００６−２８４０５３号公報
【特許文献２】特公昭４−８１７０１号公報
【特許文献３】特許第２５７１５９５号公報
【発明の開示】
【発明が解決しようとする課題】
【０００６】
ア）図６（Ｂ）に示す温水式床暖房装置は、前記のように、８〜１１ｍｍの発熱パイプ３３を７〜１０ｃｍ程度の間隔で蛇行して配置されたものが多く使用されているが、この発熱パイプ３３の上方の床板に対応する面積はパイプ３３の外径に相当する細帯状部分である。従って、この発熱パイプ３３の発熱面積は、暖房する床面の表面積に比較するとかなり狭い範囲で縞状にしか加熱することはできないという問題がある。
【０００７】
この発熱パイプ３３のみで床板３５を加熱した場合の床面の表面温度は、図６（Ａ）の曲線（ｔ１）で示すように、発熱パイプ３３の存在している部分と存在していない部分との間に波形に温度ムラを発生する。そこでこの発熱パイプ３３の上にアルミ箔３４を介在させて床板３５上の温度ムラ（ｔ１）が温度（ｔ２）のように均一化を図る方法が採用されていることが多い。しかし、前記のように発熱パイプ３３の床板３５側に向かう放熱面は線状であるから、本質的に床面の温度を均一化することは困難である。
【０００８】
蛇行する発熱パイプ３３の間隔を狭めれば、床板３５に向かう放熱面積が増加することになるが、現実には発熱パイプ３３が長くなり、温水の流体抵抗が増加する上に接合部が増加して配管経路が複雑となり、それに伴って温水の漏れが発生し、更に床板３５を支持する強度が低下するのでこの方法を採用できない。
【０００９】
イ)また、温水式床暖房の大きな問題は、ボイラーで加熱された温水を発熱パイプ３３に供給して放熱させ、それを再びボイラーに還流させるので、温水の供給部と排出部との間に必然的に温度差を生ずることである。なお、この温水パイプ３３の長さは１ｍ２あたり１２ｍを単位として敷かれており、温水の経路の長さはかなりの距離に及んでいる。
【００１０】
従って、室内の一方より約８０℃程度の温水を発熱パイプ３３に供給し、床板の下方で蛇行させながら放熱して床面を暖房した後に、温度が室温程度に低下してボイラーに還流させる方式であるから、当然、供給部と還流排出部との間に大きな温度差を発生せざるを得ないのである。
【００１１】
ウ)一方、建材の多くは防腐剤などの化学的な処理（ホルムアルデヒドなど）がされており、この化学的な処理を施した床材を加熱するとベンゼン、キシレン、トルエンなどの人体に悪影響を与えるガスが発生する。このガスは４４℃以上の温度において急激に放出されて室内の空気を汚染する「シックハウス症候群」を発生するという問題があり、これを防止することも床暖房装置の課題となっている。
【００１２】
エ)電熱加熱式ヒータとして熱可塑性樹脂を使用して製造されたＰＴＣ特性（温度上昇と共に電気抵抗が増加して電流量を抑制して自動的に温度を低下させる特性）を持つ面状発熱ヒータの発熱温度はせいぜい５０℃程度、通常は４０℃以下の低温であることから、前記シックハウス症候群を回避できる上に、放熱面が広いので床面を一斉に加熱して所定の温度にすることができるという利点がある。
【００１３】
なお、電熱加熱式の多くは面状発熱ヒータが使用されているが、これは暖房する部屋の床面積に対してヒータが敷設される面積が約３５％〜６０％程度であり、広範囲に比較的均一な温度で暖房することができる利点がある。
【００１４】
前記面状発熱ヒータを使用した床暖房装置と、温水加熱式床暖房装置の温度と比較すると、前者の温度が４０℃程度であるのに対して後者の温度は８０℃から３０℃程度の大きな温度差が必然的に発生しており、後者は前者に比較してかなりの高温にならざるを得ないのである。
【００１５】
オ）特に、ボイラーから８０℃もの高温の温水が供給される入り口部分の床材に対する影響は大きく、床暖房する時としない時の大きな温度差により床板などの熱膨張・熱収縮の差が大きくなり、この温度差が繰り返されると床板の間に次第に間隙を形成し、これによって床板が浮き、床鳴りが発生し、更に床板に体重を掛けた時の安定感のないフワフワとした違和感を与える原因となっている。つまり、自然界で育った木材は高温加熱に適しておらず、板材の変形や劣化の原因となるので、この木材に対する影響を回避するためには低温で加熱するのが好ましいのである。
【００１６】
カ）特許文献１には、断熱層に形成された溝部に温水パイプ配置した、「温水マット」の上部にアルミ板と、その上面にフィンを突出させた伝熱板を配置し、温水パイプが発する熱を前記伝熱板を介して床板の下面全体に広げる構造が採用されている。
【００１７】
しかし前記構造の伝熱板は複雑な断面形状が必要であり、しかも床板にフィンに合わせたスリットを形成しなければならず、加工性にかなりの問題がある。更に、このような加工方法は、床板自体の強度を弱めることは否めなく、この構造を採用することによって床構造に新たな欠陥を発生するので実用上問題である。
【００１８】
キ）本発明の目的
本発明は、（ａ）前記温水加熱式暖房装置の有する欠点である、温度ムラが発生し易いという問題を解決し、均一な温度で加熱できる温水式暖房装置を提供することを第１の目的とするとするものである。
（ｂ）そして供給する温水を、可能な限り低温に保持して発熱パイプに供給することによって、床板に対して高温加熱による床板などへの木材への影響を与えることがない温水加熱式床暖房装置を提供することを第２の目的とするものである。
（ｃ）更に、潜熱型の蓄熱剤と金属箔製ハニカムを使用した蓄熱熱部材の蓄熱と伝熱の利点を生かして、温水加熱式床暖房装置の欠点を解消した複合型の床暖房装置を提供することを第３の目的とするものである。
（ｄ）更にまた、所定の間隔をおいて配置されている温水パイプの間の空間に蓄熱剤によって蓄熱し、暖房時にそれを放熱させることで温度ムラを無くすようにすること、また、充填されている蓄熱剤の吸熱と放熱を効率的に行うとともに、床材の機械的な支持を行うことができる蓄熱部材を提供することを第４の目的とするものである。
【課題を解決するための手段】
【００１９】
前記目的を達成するための本発明は、次のように構成されている。
【００２０】
１）基礎床材の上に敷設された断熱シートと、この断熱シート上に温水パイプを間隔あけて配置された床暖房装置において、前記温水パイプの間の空間部に、潜熱蓄熱型の蓄熱剤を充填した蓄熱部材を配置し、前記温水パイプからの放熱を前記蓄熱部材に蓄熱するように構成したことを特徴としている。
【００２１】
２）前記蓄熱部材は、耐熱性のある電気絶縁性シートからなる袋体と、その内部に収容されたハニカム型熱伝導体と潜熱型蓄熱剤で構成されていることを特徴としている。
【００２２】
３）前記ハニカム型熱伝導体は、蓄熱部材の厚み方向に開口部を持つ金属箔製のハニカム構造体であることを特徴としている。
【００２３】
４）基礎床材の上に敷設された断熱シートと、その断熱シート上に所定間隔をおいて配置された温水パイプからなる床暖房装置において、前記温水パイプの間に蓄熱部材を配置すると共に、前記温水パイプと蓄熱部材を覆って金属箔を敷き、更にその上面に床板を敷設したことを特徴としている。前記金属箔を配置する位置は温水パイプの上は方が適しているが、下面あるいは上下両面でもよく、要するに温水パイプが発する熱を床面全体に広げるように構成すればよい。
【００２４】
５）基礎床材の上に敷設された断熱シートと、その断熱シート上に所定間隔をおいて蛇行して配置された温水パイプからなる床暖房装置において、前記温水パイプの間に蓄熱部材を配置すると共に、前記蓄熱部材は、耐熱性と電気絶縁性のあるシートからなる袋体と、その袋体の内面を直接支持するようにアルミ箔からなるハニカム型熱伝導体を収容し、更に前記袋体に潜熱型蓄熱剤と充填し、この蓄熱剤を前記ハニカム型熱伝導体によって複数の小塊状に分断して前記ハニカム型熱伝導体で形成されている壁面を介して潜熱型蓄熱剤に対して熱の授受を行うことを特徴としている。
【発明の効果】
【００２５】
１）本発明に係る温水加熱式の床暖房装置は、温水パイプとこの温水パイプの間に蓄熱部材を配置し、その上に床板を配置した構造である。そして前記蓄熱部材は、袋体の内部にハニカム型熱伝導体を収容すると共に潜熱型蓄熱剤を充填し、前記ハニカム型熱伝導体によって蓄熱剤を分断して小区画内で吸熱と放熱とを行わせるので、薄板型の蓄熱部材でありながら、その表裏面での熱伝達を良好に行い、両側に配置されている発熱パイプからの熱をこの蓄熱部材の内部に導き、蓄熱作用を発揮させることができる。
その結果として、従来の温水加熱式の床暖房装置を採用しながら、床暖房装置が配置されている部分全体として、必要とする熱量を充分に蓄熱し、しかも低温においてその効果を発揮することができるのである。
【００２６】
２）本発明に係る床暖房装置は、潜熱型の蓄熱部材の使用により、安価な夜間電力を使用して温水を製造することも可能であることから、床暖房装置の内部の温水パイプ内に温水を流通させておくことにより、この温水パイプを一種のボイラの一部に見立てることができ、その構成により、かなり暖房コストを低下させ、更に、床構造内に蓄熱することができるので、使用するボイラー自体の「容量」を減少させ、温水装置を小型化することができるのである。
【００２７】
３）従来の床暖房装置の場合には、高温の温水を必要とし、その結果、シックハウス症候群を発生させたり、床板に歪を生じさせたりしたが、本発明によれば、かかる欠点を一挙に解決することができるのである。
【発明を実施するための最良の形態】
【００２８】
（蓄熱部材の機能について）  
本発明に係る複合型の床暖房装置は、潜熱蓄熱型の蓄熱剤を充填した蓄熱部材を重要な構成部材として使用しているので、この蓄熱部材の蓄熱特性について説明する。
【００２９】
１．各種形式の蓄熱部材の基礎データ
図７〜図１０は、蓄熱剤を充填して蓄熱部材とする容器の形態を示すものであり、これらの形態の相違によって、蓄熱剤と接触する表面積が著しく異なること、更に蓄熱剤を小区分に分断して熱伝達する状態が著しく異なることを説明する。
（１）図７「弁当箱型」（１型）
ａ）寸法・・幅：２５０ｍｍ、長さ：６００ｍｍ、厚さ：２０ｍｍ、
ｂ）容積：３，０００ｃｃ（３リッター）
ｃ）表面積：３，３４０ｃｍ２  
（２）図８「円筒並列型」（２型）
ａ）寸法・・円筒の内径：２６ｍｍφ、長さ：１，２００ｍｍ、本数：５本、
ｂ）容積：３，１８０ｃｃ  （３．１８リッター）
ｃ）表面積：４，８９８ｃｍ２
（３）図９「マット型」（３型）
ａ）寸法・・幅：２２１．５ｍｍ、厚さ：６ｍｍ、長さ：１７０ｍｍ×５枚連続
ｂ）容積：１，１３０ｃｍ３  （１．１３リッター）
ｃ）表面積：４，０００ｃｍ２
（４） 図１０「アルミハニカム型」（４型）・・本発明の構造
ａ）寸  法
イ．ハニカム１セルの周長：２０．７６ｍｍ
ロ．ハニカム数：３１，０００個／ｍ３
ハ．ハニカム周長（延長さ）：１２１.００ｍ
ニ．ハニカムの面積：１．１ｍ２ 
ｂ）容積：１，１３０ｃｍ３  （１．１３リッター）
ｃ）表面積：１．１ｍ３
【００３０】
２．各種データの比較
１）熱を授受する表面積（ｃｍ２）／リッター
（１型）：１，１１３  （２型）：１，５４０  （３型）：３，５４０
（４型）：９，７３５
（評  価）１型の表面積を基準の「１」とすると、２型は（１．４）、３型は（３．２）であり、更に４型は（８．７）である。
つまり、ハニカム型の伝熱体（４型）を使用することによって、表面積は１型（弁当箱型）の（８．７倍）に拡大され、また、２型（円筒並列型、ヒートバンク型）と比較しても（６．３）倍も表面積が拡大されることになる。
また、潜熱型の蓄熱剤の集合状態を考えると、１型は箱内で１個の塊を形成し、蓄熱剤の体積は３，０００ｃｃが一つの塊の状態である。
２型は、６４０ｃｃであり、また、３型でも２３０ｃｃが一つの塊である。これに対して、４型の本発明のハニカムの場合は、１個のセルが「０．２ｃｃ」程度の超小型で、しかも上下が抜けた六角形の枠体の集合物に過ぎない。
従って、４型（図１０）と１型（図７）の大きさとを比較すると、１セルの容積は１型の１５，０００分の１に過ぎない。              
更に、２型（図８）と４型のハニカムのセルを比較すると３，２００分の１であり、更にまた、３型（図９）の蓄熱マットを比較すると容積は、１，１５０分の１であり、図１０に記載されたハニカム構造体は、如何に微小な容積に蓄熱剤を分断するかが良く理解できる。
【００３１】
（温水式床暖房装置の具体的な構成）  
（実施例１）
図１は、本発明の温水式床暖房装置（Ｙ）の断面構造の位置を示すものである。図６に示した従来例と対応させた場合、コンクリート層などの上方に直立している束（ツカ）１８に支持された大引１９の上に小根太２０を配置し、この小根太２０の間に板材２１を配置する。
【００３２】
そしてこの板材２１の上面に発泡ポリスチレンなどの断熱シート２２を配置し、更にその上にアルミ箔２３などの伝熱シートを敷き、その上面に発熱パイプ３３ａ・・と蓄熱部材１を配置し、（このアルミ箔は、温水パイプ３３と下記蓄熱部材１の上面に敷く構造もある。）その上に床板３５を敷いている。なお、この構造は図６に示した従来の温水型の床暖房装置の構造に相当している。
【００３３】
この床暖房装置（Ｙ）の全体の構成は図１１に示しており、部屋Ｒの床面に配置された複数本の小根太２０の間に温水パイプ３３と蓄熱部材１を交互に配置している。温水パイプ３３は模式的に絵が空手いるが、実際には従来の施工方法を踏襲して形成されている。
【００３４】
本発明の温水加熱式床暖房装置（Ｙ）においては、図１に示すように発熱パイプ３３ａ、３３ｂ・・の間に後述の特別構造に形成された蓄熱部材１を配置することで、発熱パイプの間の区域を「蓄熱領域」とし、この領域で吸熱と放熱とを行わせている。
【００３５】
この蓄熱部材１は、図２および図３に示すようにポリエチレン、ポリプロピレン、ナイロンなど耐熱性と電気絶縁性を持つ合成樹脂シートを使用して形成された袋体２の内部に、アルミ箔などの金属箔を使用して形成したハニカム型熱伝導体３を配置して「全面放熱型」の床暖房装置を構成している。
【００３６】
このハニカム型の熱伝導体３は、六角形の金属箔の集合体で、しかもその両面が開放された構造物である。前記袋体２の内部をこの熱伝導体３を挿入することで、これで薄い板のような状態で支持して所定の形態を保持する機能を持つと同時に、下記する潜熱型の潜熱型蓄熱剤４を小区画に分断する機能を有している。
【００３７】
そしてこのように分断された蓄熱剤４に対して、ハニカム型（六角形）で形成される壁面は蓄熱剤４を小区画に分割し、その広い壁面を介して、受熱面より受けた熱エネルギーを蓄熱剤４に熱伝達する機能を有している。
【００３８】
更に、多数の薄板がハニカム型に組まれて立っているので、優れた機械的性質、つまり耐圧性があり、この特性を利用して床構造を補強する性質があり、この機械的な特性によって床板３５を下面より確実に支持することができ、それによって床鳴りや撓みなどの欠点が発生しないようにする機能を持っている。
【００３９】
図１０におけるハニカム型熱伝導体３に使用するアルミ箔の厚さは、５０μｍ〜１００μｍで、ハニカムを構成するセルの幅（対面する壁面の距離）は５〜８ｍｍ、好ましくは６．３５ｍｍのものを使用している。
【００４０】
また、このハニカム型熱伝導体３の厚み（高さ）は５ｍｍ〜１０ｍｍ程度、好ましくは１／３インチのものを使用する。ハニカム板を構成するセルの大きさは色々なものを使用できるが、前記のように、例えば、壁の間の間隔（図１０のＢに示す間隔ｃ）が６．３５ｍｍのものを使用することで、安価なハニカム構造物を使用することができる。
【００４１】
更に、前記袋体２の内部に潜熱型蓄熱剤４（特許第３３９０２３８号公報など参照）を供給して前記ハニカム型熱伝導体３の内部をこの潜熱型蓄熱剤４を充填している。
【００４２】
この蓄熱剤４の種類によっては前記アルミハニカムを構成しているアルミ箔と化学反応してそれを劣化させる場合があるので、予めこのような劣化を防止するための表面処理、つまり、耐食性合成樹脂塗料の塗布やアルマイト加工などの保護加工を行なっておくのが良い。
【００４３】
（ハニカム型熱伝導体３の機能）
ハニカム型熱伝導体３の機能は、前記し、また、図５に示すように、ａ）蓄熱剤４を小区画に分断する作用、ｂ）前記蓄熱部材１の受熱面Ｓ２で受けた熱量Ｑを放熱面Ｓ１側に速やかに熱伝達する作用、ｃ)蓄熱剤４を小さなブロックに分断し（図１０、Ｂ)、その壁面の内外で形成される広い面積で、熱の授受を多くする作用（図５）、ｄ）蓄熱部材１（図２、図３）を補強して床材としての耐圧力を与える作用など各種の優れたものである。
【００４４】
また、前記袋体２の内部をハニカム型熱伝導体３によって、好ましくは、所定の小区画に分割することによって前記潜熱型蓄熱剤４を分割し、この蓄熱剤４の「過冷却現象」を防止するように構成する。
【００４５】
過冷却現象とは、固体から液体へ、また、液体から固体へと可逆的な相変化を繰り返している間に、その特性が喪失して液状に戻ることができず、かなり硬い固体のままで残る部分が発生する。そしてこの固体化現象が発生すると、この現象が次第に他の部分に伝搬し、遂には１袋分の蓄熱剤が固体の状態を維持することである。
【００４６】
この状態となると、もはや潜熱型蓄熱剤としての機能を全く失ってしまう。そこで、従来は、過冷却防止剤（結晶核物質）を蓄熱剤に添加・混合して使用する方法が実施されている（例えば、特開平７−４２９６１号公報参照）。
【００４７】
この潜熱型蓄熱剤４としては、従来から床暖房装置の蓄熱剤として使用されているものであれば使用可能である。つまり、受熱して液状となり、放熱して固体に層変化し、その相変化の間に大量の潜熱を蓄熱するタイプの蓄熱剤を使用するのが良く、最も多く使用されているものとしては、硫酸ナトリウム・１０水塩（Ｎａ２ＳＯ４・１０Ｈ２Ｏ）などを使用することができる。
【００４８】
この硫酸ナトリウム・１０水塩は、融解点が３１．８℃、凝固点が２８℃であり、この相変化の間の潜熱量は、１５５ｋＪ／ｋｇの熱量を蓄熱し、また、放熱する特性を有している。従って、高温に加熱されても５０℃程度であり、放熱凝固したときにも床暖房の機能を十分に発揮することができるからである。
【００４９】
（ハニカム型熱伝導体３は伝熱性多角壁）
前記ハニカム型熱伝導体３と潜熱蓄熱剤４との組み合わせは、本発明の床暖房用の蓄熱部材１として極めて大きな効果を発揮する。例えば、厚みが０．１ｍｍのアルミニウム箔と、厚みが１．０ｍｍのポリプロピレンフイルムとの熱伝導効率について比較すると次のようになる。
【００５０】
熱伝導率（Ｗ／（ｍ・ｋ））は、アルミニウムが（２３．７）であるのに対して、ポリプロピレンは（０．３）であり、前記両者の厚みを考慮した場合、アルミニウムはポリプロピレンに比較して「２３．７倍」も熱伝導性に優れていることになる。そこで、もし、両者が同じ厚みであれば、この熱伝導性は更に大きな差が付くことになる。
【００５１】
そしてアルミニウム箔（その他の金属箔でも同様）をハニカム構造とすることによって、このハニカム構造のセル（小部屋）に潜熱型蓄熱剤が充填されることになるので、この蓄熱剤とハニカム構造体との接触面積は、単に薄板状の袋体の中に蓄熱剤を充填した場合(図７)に比較すると、「約８．７４倍」に接触面積が拡大されることになる。
【００５２】
前記のようにアルミ箔とポリプロピレンとの熱伝導率を比較すると、２３．７倍であり、更にハニカム構造の持つ接触面積の差８．７４倍を考慮すると、単なる袋体と比較して約７４０倍もの高い「熱伝導効率」を有することになる。
【００５３】
本発明は、金属箔製、好ましくはアルミ箔製のハニカム型熱伝導体と、潜熱型蓄熱剤とを組合せて蓄熱部材１を構成している。従って、潜熱型蓄熱剤４の層の中にハニカム型熱伝導体３を配置することによって立体的な熱伝達が行われることになる。
【００５４】
図５は、ハニカム型熱伝導体３を構成するハニカム構造物Ｈの両面に袋体２を構成しているシートＳ１（放熱面）とＳ２（吸熱面、受熱面）を配置した蓄熱部材１の要部拡大図である。
【００５５】
この図５において、袋体２を構成するシートＳ２側から熱量Ｑを与えた場合は、その熱量Ｑはハニカム構造物Ｈが恰も立体的は放熱フィンのような状態となり、四方八方に熱伝達をすることになり、このハニカム構造物Ｈと接触している潜熱型蓄熱剤４に対して迅速に熱の授受が行われるので、蓄熱剤に対して速やかに熱伝達ができる上に、前記のような過冷却現象を完全に防止することができるという大きなメリットがある。
【００５６】
一方、六角形の周長が２．０７ｃｍで、高さが１／３インチのハニカム構造物を考えた場合、１平方メートル当たりのハニカム構造物（セル）の個数は、約３１，０００個となる。そしてこのハニカム構造物と潜熱型蓄熱剤との接触面積は、ハニカム構造体からなる板が１ｍ２あたり、１．１ｍ２もの大きな面積となる。
【００５７】
このように潜熱型蓄熱剤４からなる層をハニカム構造物３によって分断するということは、そのセルの内部で独立的に熱の授受を行なって蓄熱剤４に対して相変化をさせることを意味している。
【００５８】
従って、前記のように５〜１０ｍｍ程度の薄い板状のハニカム構造物３を内蔵した蓄熱部材１を使用しても、十分な潜熱型蓄熱剤としての蓄熱効果を発揮することを意味するのである。
【００５９】
（実施例２）
図４は、別の実施例を示す床暖房装置（Ｙ２）の断面図を示すもので、この例においては、蓄熱部材１ａとして袋体２ａを、例えば幅が６ｃｍ、長さが１０ｃｍの子袋に仕切り、その袋体２ａの中にハニカム型熱伝導体３ａを配置すると共に潜熱型蓄熱剤４を充填したものを示している。
【００６０】
この実施例の特徴は、従来の温水式床暖房装置の構造をそのままにして、本発明で適用した薄いシート型の蓄熱部材１ａを敷いたものであり、床板３５の高さが前記蓄熱部材１ａ分だけ高くなるが、実用上は大きな問題は生じない。
【００６１】
（実施例３）
図１１は、床暖房すべき部屋Ｒの床構造である小根太２０の間に、図１に示した温水加熱式床暖房装置（Ｙ）を構成した状態を示す平面図であり、小根太２０の間に蛇行して温水パイプ３３が配置され、その温水パイプ３３の間に蓄熱部材１を縞模様に配置している。この蓄熱部材１は両側が発熱パイプ３３に挟まれたようなっており、この温水パイプ３３を通じて熱が蓄熱部材１に伝達されて蓄熱され、放熱する時には床面全体から熱を放出して暖房する。この放熱は温水パイプ３３は勿論であるが、蓄熱部材１からも同様に行われるので、供給される温水は低温でありながら、十分に暖房効果を発揮することができるのである。
【００６２】
なお、蓄熱部材１は幅が温水パイプ３３の間に嵌入できる程度のものであり、長手方向に１０〜２０ｃｍ間隔で溶着によって分割されており、個々の袋の内部にハニカム型伝熱体３と潜熱型蓄熱剤４が収容されていることは言うまでもない。
【００６３】
（実施例４）
図１２（Ａ、Ｂ、Ｃ）はコンパネ型の床暖房パネルＰを示している。下側に金属薄板を使用して温水パイプ３３を包みこんで下部構造を構成し、その温水パイプ３３の間に蓄熱部材１を配置し、上面に枠部材を配置した薄板３５Ｎを配置して構成している。
【００６４】
この構造の床暖房パネルＰは、図１３に示すように構成され、従来の床板と同様に部屋の床構造として使用することができる。
【図面の簡単な説明】
【００６５】
【図１】本発明の実施の形態に係る温水式床暖房装置の断面図である。
【図２】蓄熱部材の概要を示す平面図である。
【図３】図２の横断面図である。
【図４】別の実施の形態に係る温水式床暖房装置の断面図である。
【図５】ハニカム構造物の熱の伝達状況の説明図である。
【図６】（Ａ）従来の床暖房装置の断面図、（Ｂ）同床暖房装置の温度を示す図である。
【図７】弁当箱型の蓄熱部材の平面図である。
【図８】円筒並列型の蓄熱部材の平面図である。
【図９】マット型の蓄熱部材の平面図である。
【図１０】（Ａ）アルミハニカム型の蓄熱部材の平面図、（Ｂ）はハニカム構造の拡大図である。
【図１１】温水加熱型の床暖房装置の内部の構成を示す平面図である。
【図１２】（Ａ）は床暖房パネルの拡大断面図、（Ｂ）は同パネルの平面図、（Ｃ）は図Ｂの側面図で、図Ａと同様な部分を示している。
【図１３】図１２に示した床暖房パネルと、その下方の床構造を分解して示す斜視図である。
【符号の説明】
【００６６】
１  蓄熱部材
２  袋体
３  ハニカム型熱伝導体
４  潜熱型蓄熱剤
１８  束
１９  大引
２０  小根太
２１  板材
２２  断熱シート
２３  アルミ箔
３３  発熱パイプ（温水パイプ）
【図１】
2009008288.tif 000003
【図２】
2009008288.tif 000004
【図３】
2009008288.tif 000005
【図４】
2009008288.tif 000006
【図５】
2009008288.tif 000007
【図６】
2009008288.tif 000008
【図７】
2009008288.tif 000009
【図８】
2009008288.tif 000010
【図９】
2009008288.tif 000011
【図１０】
2009008288.tif 000012
【図１１】
2009008288.tif 000013
【図１２】
2009008288.tif 000014
【図１３】
2009008288.tif 000015